(57)【要約】 【課題】組み立て性および解体性がよく、枠の部分を含むすべての前面部分を展示面にすることができる見栄えのよい展示会システムを提供する。【解決部】この展示会システムは、ベース壁面となるベースフレームと、前記ベースフレームの外側に突出して固定され、上部、下部および側部終端部に溝部を設けたブラケットフレームと、シート状をなし縁部に突起部を有し、前記ブラケットフレームを覆い、前記突起部を前記溝部に嵌合させることで前記ブラケットフレームに固定される展示面形成用のシート部材とを備える。【選択図】図１
2017061788.tif 000002
【特許請求の範囲】
【請求項１】
ベース壁面となるベースフレームと、
前記ベースフレームの外側に突出して固定され、上部、下部および側部終端部に溝部を設けたブラケットフレームと、
シート状をなし縁部に突起部を有し、前記ブラケットフレームを覆い、前記突起部を前記溝部に着脱自在に嵌合させることで前記ブラケットフレームに固定される展示面形成用のシート部材と
を具備する展示会システム。
【請求項２】
前記ブラケットフレームの側部終端部に前記ベースフレームのエンドポールと一体的に設けられ、前記溝部を垂直方向に設けた支柱をさらに具備する請求項１記載の展示会システム。
【請求項３】
前記ブラケットフレームを両端で支えるように設けられ、上部、下部に前記突起部を嵌合させるための切り欠き部を設けたコーナー角ポールをさらに具備する請求項１記載の展示会システム。
【請求項４】
展示面の基礎の骨組みとなるフレーム部と、
前記フレーム部の前記展示面の側の骨組みを少なくとも覆うように前記フレーム部に着脱自在に取り付けられた展示面形成用のシート部材とを備え、
前記フレーム部は、
端部に設けられた係止部と、長手方向に所定の幅のスリットを設けたレール部とを有するビームと、
筒部と、前記筒部の周囲に軸方向に設けられ、前記ビームの前記係止部を着脱自在に固定するためのスリット部と、前記スリット部に取り付けた前記ビームの前記レール部の延長線上の前記筒部に設けられ、前記レール部の前記スリットの幅で切り欠かれた切り欠き部とを有する結合部材とを備え、
前記展示面形成用のシート部材は、
前記レール部および前記切り欠き部に嵌合される突起部を縁部に備えることを特徴とする展示会システム。
【請求項５】
前記結合部材は、
前記筒部の一部に平坦に設けられた壁面部を備え、
前記スリット部は、
前記壁面部の一縁と第１のビームの側面が一致するように前記ビームを前記筒部に固定可能な第１のスリット部と、
前記壁面部の一縁と反対側の他縁と第２のビームの側面が一致するように前記ビームを前記筒部に固定可能な第２のスリット部とを備え、
前記筒部は、
前記第１および第２のスリット部を繋ぐ軸線上に切り欠き部を設けたことを特徴とする請求項４記載の展示会システム。
【請求項６】
筒部と、
前記筒部の周囲に軸方向に設けられ、前記ビームの前記係止部を着脱自在に固定するためのスリット部と、
前記スリット部に取り付けた前記ビームの前記レール部の延長線上の前記筒部に設けられ、前記レール部のスリットの幅で切り欠かれた切り欠き部と
を具備することを特徴とする結合部材。
【発明の詳細な説明】
【技術分野】
【０００１】
本発明は、展示会システムおよび結合部材に関する。
【背景技術】
【０００２】
展示会では、賃貸したスペースに展示装置を、限られた時間で施工し展示物を展示し、展示会終了後は、展示装置と展示物を短時間で解体、撤収する必要があることから、特に展示装置は、組み立て性、安全性および解体性の全てを満たすものが望まれる。
【０００３】
従来の展示装置は、壁面に固定したピクチャーレールに木製の壁面パネルを架設してその壁面パネルを覆うように織物クロスを貼り付けて展示面を形成し、そこに絵画などの展示物を展示していた（特許文献１参照）。
【先行技術文献】
【特許文献】
【０００４】
【特許文献１】特開２００８−０８８６９７号公報
【発明の概要】
【発明が解決しようとする課題】
【０００５】
しかしながら、従来の技術の場合、壁面パネルに隠れないピクチャーレールなどのフレーム部分や壁面の部分が露出してしまい、展示ブース全体としての見栄えが悪くなるという問題がある。また木製の壁面パネルを展示面の広さに応じた枚数分用意し一枚ずつ架設する必要があり、取り付けおよび取り外しの作業に時間がかかるという問題もある。
【０００６】
本発明はこのような課題を解決するためになされたもので、組み立て性および解体性がよく、枠の部分を含むすべての面を展示面にすることができる見栄えのよい展示会システムおよび結合部材を提供することにある。
【課題を解決するための手段】
【０００７】
本発明の展示会システムは、ベース壁面となるベースフレームと、前記ベースフレームの外側に突出して固定され、上部、下部および側部終端部に溝部を設けたブラケットフレームと、シート状をなし縁部に突起部を有し、前記ブラケットフレームを覆い、前記突起部を前記溝部に着脱自在に嵌合させることで前記ブラケットフレームに固定される展示面形成用のシート部材とを備える。
【０００８】
本発明の結合部材は、筒部と、前記筒部の周囲に軸方向に設けられ、前記ビームの前記係止部を着脱自在に固定するためのスリット部と、前記スリット部に取り付けた前記ビームの前記レール部の延長線上の前記筒部に設けられ、前記レール部のスリットの幅で切り欠かれた切り欠き部とを備える。
【発明の効果】
【０００９】
本発明によれば、組み立て性および解体性がよく、枠の部分を含むすべての前面部分を展示面にすることができる見栄えのよい展示会システムおよび結合部材を提供することができる。
【図面の簡単な説明】
【００１０】
【図１】一つの実施の形態の展示会システムの構成を示す図である。
【図２】設置した状態の展示会システムを示す図である。
【図３】フレーム部の詳細構成を示す図である。
【図４】接合部材とビームとの結合関係を示す図である。
【図５】接合部材とビームを結合した状態を示す図である。
【図６】接合部にファブリックウォールの係合部を挿着する様子を示す図である。
【図７】接合部にファブリックウォールを固定した状態を示す図である。
【図８】フレーム部のコーナーおよびエンド部にファブリックウォールの係合部を挿着する様子を示す図である。
【発明を実施するための形態】
【００１１】
以下、図面を参照して本発明の一つの実施の形態を詳細に説明する。図１は本発明の一つの実施の形態の展示会システムの構成を示す図である。
【００１２】
図１に示すように、この実施形態の展示会システムは、ベース壁面となるベースフレーム１ａと、このベースフレーム１ａの外側（周囲）に突出して固定されたブラケットフレーム１ｂとを有するフレーム部１と、このフレーム部１の展示面側を少なくとも覆うようにブラケットフレーム１ｂに着脱自在に取り付けられたシート状の展示面形成用のシート部材としてのファブリックウォール３とを備える。ブラケットフレーム１ｂの上部、下部および側部終端部にはスリット４１や切り欠き部３２ａ、５５（図３、図７参照）などの溝部が設けられている。
【００１３】
ファブリックウォール３は、透光性の布幕であり、幕面の縁部にシート固定用の突起部としてのシリコン製の嵌合部材３１（図５参照）が幕面から垂直に突設されている。ファブリックウォール３は、スリット４１（図５参照）および切り欠き部５５（図５参照）に嵌合される嵌合部材３１を端縁部に備える。
【００１４】
すなわちファブリックウォール３は、シート状をなし縁部に嵌合部材３１を有し、ブラケットフレーム１ｂを覆い、嵌合部材３１を溝部（スリット４１、切り欠き部３２ａ、５５など）に着脱自在に嵌合させることでブラケットフレーム１ｂに固定される。
【００１５】
フレーム部１は、展示面を形成する上での基礎の骨組みとなる部分であり、図２に示すように、さまざまな長さの横方向の梁材としてのビーム４０、縦方向の支持部材（支柱）としてのアップライドプロフィル３３、ファブリックウォール３の側端を固定するためのエンドポール３４、展示面の幅方向の端部を裏側から支えるためのコーナー角ポール３２、ビーム４０を結合するための結合部材５０などを備えており、これらの部材を組み合わせて所定の高さおよび幅の展示面の骨組みを形成する。
【００１６】
ここで、図３、図４を参照して図２の符号Ａの部分について詳細に説明する。  
図３に示すように、ビーム４０は、アルミニウム製の矩形の部材であり、両端部に係止部としてのロック機構４３が設けられている。ビーム４０の上部には長手方向に所定の幅のスリット４１を設けた一対のレール部４２が設けられている。
【００１７】
このレール部４２に他のビーム４０のロック機構４３をワンタッチで装着することで、レール部４２の所望の位置にビーム４０を直角に取り付け固定することかできる。スリット４１にファブリックウォール３の嵌合部材３１を挿入し勘合させることで固定することができる。
【００１８】
ビーム４０の側面には、ロック機構４３のロックを解除するための解除機構４４が設けられている。解除機構４４は、所定のビット形状のドライバーで所定の方向に回すことでロックを解除可能である。
【００１９】
結合部材５０は、０°、４５°、９０°、１３５°、１８０°の５方向にビーム４０を接続可能なビーム中継用の部材である。結合部材５０は、筒部５２、スリット部５３および切り欠き部５５を有する。この結合部材５０の筒部５２の一部には平坦に設けられた壁面部５２ａを備える。
【００２０】
スリット部５３は、筒部５２の周囲の上記５つの方向に向けて軸方向に隙間を空けるように設けられている。スリット部５３は、ビーム４０をその側部のロック機構４３にて着脱自在に固定する部位である。
【００２１】
スリット部５３は、０°方向の第１のスリット部と、１８０°方向の第２のスリット部とを有する。第１のスリット部は、壁面部５２ａの一縁と第１のビーム４０の側面が一致するようにビーム４０を筒部５２に固定可能である。第２のスリット部は、壁面部５２ａの一縁とは反対側の他縁と第２のビームの４０の側面が一致するようにビーム４０を筒部５２に固定可能である。切り欠き部５５は、第１および第２のスリット部を繋ぐ軸線上に設けられている。
【００２２】
この他、結合部材５０は、０°、４５°、９０°、１３５°、１８０°、２２５°、２７０°、２１５°の８方向のもの、０°、９０°、１８０°の３方向のもの、０°、９０°の２方向のものなどがある。０°、９０°の２方向のものは角部に使用される。５方向のものや８方向のものを角部に使用してもよい。
【００２３】
切り欠き部５５は、スリット部５３に取り付けたビーム４０のレール部４２の延長線上の筒部５２を、ビーム４０のスリット４１の幅で切り欠いて設けたものである。この例では、０°、１８０°の２方向の筒部５２の位置にだけ切り欠き部５５を設けたが、５方向全てに切り欠き部５５を設けてもよい。
【００２４】
図４に示すように、結合部材５０に３つのビーム４０を３方向から取り付けることで、３つのビーム４０をＴ字状に結合することができる。この場合、０°と１８０°の方向に配置されるビーム４０どうしのスリット４１と結合部材５０の切り欠き部５５が一直線上に並ぶため、図５に示すように、ファブリックウォール３の嵌合部材３１を直線的に勘合させることができる。この結果、図６に示すように、ファブリックウォール３をビーム４０のレール部４２の上に平らに固定することができる。
【００２５】
また、図７に示すように、コーナー角ポール３２はブラケットフレーム１ｂの一部であり、ビーム４０を両端で支えるように設けられている。コーナー角ポール３２の上部にはビーム４０のスリット４１と同じ間隔で切り欠き部３２ａが設けられている。コーナー角ポール３２の下部にも上部と同様に切り欠き部３２ａが設けられている。
【００２６】
このようにブラケットフレーム１ｂのコーナー部分についても、コーナー角ポール３２に切り欠き部３２ａを設けることで、ファブリックウォール３の嵌合部材３１を、上方から矢印Ｂ方向にビーム４０のスリット４１に挿入し嵌合させることができ、ファブリックウォール３をビーム４０のレール部４２の上に平らに固定することができる。
【００２７】
また、ブラケットフレーム１ｂの側部終端部にはベースフレーム１ａのエンドポール３４と一体的に支柱３５が設けられている。この支柱３５にはスリット３５ａおよび切り欠き部３５ｂなどの溝部が支柱３５の軸方向（垂直方向）に設けられている。
【００２８】
このようにブラケットフレーム１ｂの側部終端部についても結合部材５０と同じ断面形状の支柱３５をエンドポール３４に溶接するなどして一体化し、ファブリックウォール３の側端部分の嵌合部材３１を矢印Ｃ方向に支柱３５のスリット３５ａに挿入および嵌合させることで、ファブリックウォール３にたるみなどが生じることなく、図８に示すように、展示面であるファブリックウォール３の前面をフラットなスクリーンにすることができる。
【００２９】
展示面の活用については、ファブリックウォール３の裏側（ベースフレーム１ａの側）のスペースに映写機を設置し、映写機から展示物の映像をファブリックウォール３に映写し、ファブリックウォール３の表側に透過した映像を前面の展示スペースから見られるように映し出すことで、映写機などを展示スペースに出すことなく、広い展示面に展示物を展示することができる。
【００３０】
このようにこの実施形態の展示会システムによれば、ベースフレーム１ａの外側にブラケットフレーム１ｂを突出させて設け、ブラケットフレーム１ｂをファブリックウォール３で覆い、その嵌合部材３１をブラケットフレーム１ｂの溝部に嵌合させてブラケットフレーム１ｂにファブリックウォール３を固定することで、ベースフレーム１ａやブラケットフレーム１ｂのフレーム構造を外側に露出させないような展示面を形成することができる。
【００３１】
すなわち、展示面に対して直交する方向の面（ブラケットフレーム１ｂの側面側）または展示面と対向する方向の面（ブラケットフレーム１ｂの背面側または裏面側）に溝部を形成し、その溝部にファブリックウォール３の嵌合部材３１を嵌合させることで、ブラケットフレーム１ｂの枠の部分を含む展示面側すべてをファブリックウォール３で覆えるようになり、展示面としての見栄えをよくすることができる。
【００３２】
ブラケットフレーム１ｂの骨組みであるビーム４０どうしを、切り欠き部５５を設けた結合部材５０で結合することで、ファブリックウォール３を固定する際に、嵌合部材３１をスリット４１および切り欠き部５５で形成された溝部に嵌合させるだけで、ファブリックウォール３の端部がフレーム部１に平坦に固定できる。またファブリックウォール３でブラケットフレーム１ｂ全体を覆えるようになる。さらにファブリックウォール３を取り外す際もファブリックウォール３の嵌合部材３１を溝部から引き抜くことで簡単に取り外すことができる。
【００３３】
この結果、組み立て性および解体性がよく、ブラケットフレーム１ｂの外枠の部分を含むすべての前面部分を展示面にすることができる見栄えのよい展示会システムを提供することができる。
【００３４】
本発明の実施の形態を説明したが、この実施の形態は、例として示したものであり、この他の様々な形態で実施が可能であり、発明の要旨を逸脱しない範囲で、構成要素の省略、置き換え、変更を行うことができる。
【符号の説明】
【００３５】
１…フレーム部、１ａ…ベースフレーム、１ｂ…ブラケットフレーム、３…ファブリックウォール、３１…嵌合部材、３２…コーナー角ポール、３３…アップライドプロフィル、３４…エンドポール、３５…支柱、３５ａ…スリット、４０…ビーム、４１…スリット、４２…レール部、４３…ロック機構、４４…解除機構、５０…結合部材、５２…筒部、５３…スリット部、５５…切り欠き部。
【図１】
2017061788.tif 000003
【図２】
2017061788.tif 000004
【図３】
2017061788.tif 000005
【図４】
2017061788.tif 000006
【図５】
2017061788.tif 000007
【図６】
2017061788.tif 000008
【図７】
2017061788.tif 000009
【図８】
2017061788.tif 000010
【手続補正書】
【提出日】平成28年10月28日(2016.10.28)
【手続補正１】
【補正対象書類名】特許請求の範囲
【補正対象項目名】全文
【補正方法】変更
【補正の内容】
【特許請求の範囲】
【請求項１】
ベース壁面となるベースフレームと、
前記ベースフレームの外側に突出して固定され、上部、下部および側部終端部に溝部を設けたブラケットフレームと、
シート状をなし縁部に突起部を有し、前記ブラケットフレームを覆い、前記突起部を前記溝部に着脱自在に嵌合させることで前記ブラケットフレームに固定される展示面形成用のシート部材と
を具備する展示会システム。
【請求項２】
前記ブラケットフレームの側部終端部に前記ベースフレームのエンドポールと一体的に設けられ、前記溝部を垂直方向に設けた支柱をさらに具備する請求項１記載の展示会システム。
【請求項３】
前記ブラケットフレームを両端で支えるように設けられ、上部、下部に前記突起部を嵌合させるための切り欠き部を設けたコーナー角ポールをさらに具備する請求項１記載の展示会システム。
【請求項４】
展示面の基礎の骨組みとなるフレーム部と、
前記フレーム部の前記展示面の側の骨組みを少なくとも覆うように前記フレーム部に着脱自在に取り付けられた展示面形成用のシート部材とを備え、
前記フレーム部は、
端部に設けられた係止部と、長手方向に所定の幅のスリットを設けたレール部とを有するビームと、
筒部と、前記筒部の周囲に軸方向に設けられ、前記ビームの前記係止部を着脱自在に固定するためのスリット部と、前記スリット部に取り付けた前記ビームの前記レール部の延長線上の前記筒部に設けられ、前記レール部の前記スリットの幅で切り欠かれた切り欠き部とを有する結合部材とを備え、
前記展示面形成用のシート部材は、
前記レール部および前記切り欠き部に嵌合される突起部を縁部に備えることを特徴とする展示会システム。
【請求項５】
前記結合部材は、
前記筒部の一部に平坦に設けられた壁面部を備え、
前記スリット部は、
前記壁面部の一縁と第１のビームの側面が一致するように前記ビームを前記筒部に固定可能な第１のスリット部と、
前記壁面部の一縁と反対側の他縁と第２のビームの側面が一致するように前記ビームを前記筒部に固定可能な第２のスリット部とを備え、
前記筒部は、
前記第１および第２のスリット部を繋ぐ軸線上に切り欠き部を設けたことを特徴とする請求項４記載の展示会システム。
【手続補正３】
【補正対象書類名】明細書
【補正対象項目名】０００１
【補正方法】変更
【補正の内容】
【０００１】
本発明は、展示会システムに関する。
【手続補正４】
【補正対象書類名】明細書
【補正対象項目名】０００６
【補正方法】変更
【補正の内容】
【０００６】
本発明はこのような課題を解決するためになされたもので、組み立て性および解体性がよく、枠の部分を含むすべての面を展示面にすることができる見栄えのよい展示会システムを提供することにある。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
本発明によれば、組み立て性および解体性がよく、枠の部分を含むすべての面を展示面にすることができる見栄えのよい展示会システムを提供することができる。